(57)【要約】  電子機器は、筐体（１１０）に設けられた接続端子を収容する開口を閉塞する端子カバー（１１ａ）を備える。端子カバーは、蓋部と、蓋部を筐体に固定するための固定部（１１ｃ）と、蓋部に取り付けられて所定のスライド方向にスライド可能なスライダ（１６１）と、を備える。蓋部はスライド方向において固定部と連結される。スライダ（１６１）は、スライド方向におけるスライダの端部に第１の係合部（１６１ａ、１６１ｂ）を有し、スライド方向に直交する方向における端部のそれぞれにおいて第２の係合部（１６１ｃ〜１６１ｄ、１６１ｅ〜１６１ｆ）を有する。筐体は、端子カバーが閉じられた状態でスライダが所定のロック位置にあるときに、第１の係合部と係合する第３の係合部と、第２の係合部と係合する第４の係合部（３２ｃ〜３２ｆ）とを有する。
2017077670.tif 000002
【特許請求の範囲】
【請求項１】
接続端子を内部に収容する開口が形成された筐体と、
接続端子が露出しないように前記開口を閉塞する端子カバーとを備え、
前記端子カバーは、前記開口を閉塞する蓋部と、前記蓋部を筐体に固定するための固定部と、前記蓋部に取り付けられて所定のスライド方向にスライド可能なスライダと、を備え、
前記蓋部は、前記スライド方向において前記固定部と連結されており、
前記スライダは、前記スライド方向における前記スライダの端部において設けられた第１の係合部と、前記スライド方向に直交する方向における前記スライダの２つの端部のそれぞれにおいて設けられた第２の係合部とを有し、
前記筐体は、前記端子カバーが閉じられた状態で前記スライダが所定のロック位置にあるときに、前記第１の係合部と係合する第３の係合部と、前記第２の係合部と係合する第４の係合部とを有する、
電子機器。
【請求項２】
前記蓋部は、前記スライド方向に直交する前記スライダの２つの端部のそれぞれにおいて前記スライダの主面に直交する方向に突き出た突出部を備え、
前記突出部の先端において前記第２の係合部が設けられている、
請求項１に記載の電子機器。
【請求項３】
前記第４の係合部は、前記筐体上の前記開口が形成された面と平行な方向に延びる板状の突起であり、
前記第２の係合部は、前記板状の突起が挿入される開口を有する、
請求項２に記載の電子機器。
【請求項４】
前記筐体の開口の周囲にリブが設けられ、
前記蓋部に、前記端子カバーが閉じられた状態で前記リブと密着する止水部材が取り付けられた、請求項１に記載の電子機器。
【請求項５】
前記開口は、当該電子機器の側面に配置された、請求項１〜４のいずれかに記載の電子機器。
【請求項６】
ノート型パソコン、タブレット端末、スマートフォン、携帯電話およびデジタルカメラのいずれかである、請求項１〜４のいずれかに記載の電子機器。
【発明の詳細な説明】
【技術分野】
【０００１】
本開示は、防水性及び防塵性を有する端子カバーを備えた電子機器に関する。
【背景技術】
【０００２】
特許文献１は、スマートフォン等の電子機器の接続端子を覆う蓋を開閉する開閉機構に関する止水構造を開示する。具体的には、特許文献１は、開口が形成された本体部材と、開口を止水する止水部材を備えた蓋部材と、本体部材に設けられ、円形孔と、該円形孔と連通した長孔とを備えた軸孔が形成された案内部材と、蓋部材に設けられ、軸孔に支持され、円形孔内で回転し、長孔内で回転規制されると共に本体部材側へ案内される軸部と、軸部を本体部材から離れる離脱方向に付勢する第一付勢部と、軸部を回転方向に付勢する第二付勢部と、止水部材が開口を止水した状態で蓋部材を本体部材に係止する係止部材と、を有する止水構造を開示する。この止水構造によれば、操作者がカバーを閉止するときの衝撃による止水性能の低下を抑制することができる。
【先行技術文献】
【特許文献】
【０００３】
【特許文献１】特開２０１５−１５３８６５号公報
【発明の概要】
【０００４】
本開示は、接続端子の防水性および防塵性を有した端子カバーを備えた電子機器を提供する。
【０００５】
本開示の態様において、接続端子を内部に収容する開口が形成された筐体と、接続端子が露出しないように開口を閉塞する端子カバーとを備えた電子機器が提供される。端子カバーは、開口を閉塞する蓋部と、蓋部を筐体に固定するための固定部と、蓋部に取り付けられて所定のスライド方向にスライド可能なスライダと、を備える。蓋部は、スライド方向において固定部と連結されている。スライダは、スライド方向における端部において設けられた第１の係合部と、スライド方向に直交する方向における２つの端部のそれぞれにおいて設けられた第２の係合部とを有する。筐体は、端子カバーが閉じられた状態でスライダが所定のロック位置にあるときに、第１の係合部と係合する第３の係合部と、第２の係合部と係合する第４の係合部とを有する。
【０００６】
本開示によれば、電子機器において、端子カバーを複数箇所で筐体に固定できるため、端子カバーの気密性すなわち防水性、防塵性を高めることができる。
【図面の簡単な説明】
【０００７】
【図１】図１は、本開示の実施の形態１に係る情報処理装置の斜視図である。
【図２】図２は、第２のユニットを第１のユニット１０１に対して閉じた状態での情報処理装置の斜視図である。
【図３】図３は、情報処理装置の側面に配置された各種接続端子を説明した図である。
【図４】図４は、メモリカードスロット用の端子カバーを開いたときのメモリカードスロットの状態を示した図である。
【図５】図５は、メモリカードスロット用の端子カバーを取り除いた状態でのメモリカードスロット及びその近傍領域を示した図である。
【図６】図６は、メモリカードスロット用の端子カバーを取り除いた状態でのメモリカードスロット及びその近傍領域を示した図である。
【図７】図７は、メモリカードスロット用の端子カバーとＨＤＭＩ（登録商標、以下同様）端子用の端子カバーとを結合した結合カバーの斜視図（表面側）である。
【図８】図８は、結合カバーの斜視図（裏面側）である。
【図９】図９は、結合カバーの展開図（表面側から見た図）である。
【図１０】図１０は、メモリカードスロット用の端子カバーの斜視図（裏面側から見た図）である。
【図１１】図１１は、メモリカードスロット用の端子カバーのロック動作を説明するための図である。
【図１２】図１２は、情報処理装置の第２のユニット側に設けられた複合カバーを示した図である。
【図１３】図１３は、複合カバーを開いたときの情報処理装置の第２のユニット側に設けられた接続端子部を示した図である。
【図１４】図１４は、情報処理装置の第２のユニット側に配置された接続端子を示した図である。
【図１５】図１５は、複合カバーの斜視図である。
【図１６】図１６は、複合カバーの展開図である。
【図１７】図１７は、図１３に示す状態において複合カバーの蓋部を取り外したときの状態を示した図である。
【図１８】図１８は、複合カバーのロック動作を説明するための図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者（ら）は、当業者が本開示を十分に理解するために添付図面および以下の説明を提供するのであって、これらによって請求の範囲に記載の主題を限定することを意図するものではない。
【００１０】
（実施の形態１）
［１−１．全体構成］
図１は、本開示の実施の形態１に係る電子機器の一例である情報処理装置の斜視図である。
【００１１】
図１に示すように、情報処理装置１００は、第１のユニット１０１と、第２のユニット１０２とを備える。第２のユニット１０２は、第１のユニット１０１に対して着脱可能である。第２のユニット１０２を第１のユニット１０１に装着した場合、情報処理装置１００はノートブック型コンピュータとして利用することができる。第２のユニット１０２は単体で、タブレット型コンピュータとして利用することができる。このように情報処理装置１００は所謂デタッチャブル型コンピュータである。
【００１２】
第２のユニット１０２はタブレット型コンピュータとしての機能を有する。第２のユニット１０２は表示部１２１を備える。表示部１２１は、例えば液晶表示デバイスで構成され、第２の筐体１２０の一主面に取り付けられる。表示部１２１は有機ＥＬデバイスのような他の表示デバイスで構成されてもよい。表示部１２１には、液晶表示デバイスに重畳してユーザのタッチ操作を受付可能なタッチパネルが設けられている。第２のユニット１０２は、コンピュータとしての機能を実現するため、中央演算処理装置（ＣＰＵ）、揮発性記憶装置（ＲＡＭ）、不揮発性記憶装置（ＲＯＭ、ＳＳＤ等）、バッテリ等を内蔵している。不揮発性記憶装置（ＲＯＭ、ＳＳＤ等）には、オペレーティングシステム（ＯＳ）、種々のアプリケーションプログラム、種々のデータ等が格納されている。中央演算処理装置（ＣＰＵ）は、ＯＳ、アプリケーションプログラム、種々のデータを読み込んで演算処理を実行することにより、種々の機能を実現する。
【００１３】
第１のユニット１０１は、第１の筐体１１０と、ホルダ１３０と、ヒンジ部１４０とを備える。第１の筐体１１０は、例えば、マグネシウム合金などの金属や樹脂により形成される。第１のユニット１０１は、第２のユニットに対してユーザが入力操作を行うための入力部を備える。入力部として、第１の筐体１１０には、キーボード１１１、タッチパッド１１２及び操作ボタン１１３等が設けられている。
【００１４】
ホルダ１３０は第１のユニット１０１と電気的にまたは機械的に接続されている。ホルダ１３０は、第２のユニット１０２の一部を収容することで第２のユニット１０２を装着する。ホルダ１３０は、第２のユニット１０２を装着したときに、第１のユニット１０１と第２のユニット１０２とを電気的に接続する。
【００１５】
ヒンジ部１４０は、ホルダ１３０（すなわち、第２のユニット１０２）が第１のユニット１０１に対して回動できるようにホルダ１３０と第１のユニット１０１を連結する。
【００１６】
ホルダ１３０内には、第２のユニットのコネクタ（図示せず）と接続されるコネクタ（図示せず）が設けられている。また、ヒンジ部１４０内には、ホルダ１３０と第１のユニット１０１との間で各種信号や電力のやりとりするための配線が通されている。これらのコネクタや配線を介して、第２のユニット１０２と第１のユニット１０１との間で、種々の信号や電力の授受を行うことが可能となっている。
【００１７】
図２は、第１のユニット１０１に対して第２のユニット１０２を閉じた状態での情報処理装置１００の斜視図である。図２に示すように、第１のユニット１０１及び第２のユニット１０２のそれぞれの側面（領域Ｒ）において、電源プラグ、外部機器、メモリカード等を接続するための接続端子やスロットが設けられている。図３は、情報処理装置１００における接続端子が設けられた側面部分を拡大した図である。
【００１８】
具体的には、第１のユニット１０１において、電源プラグ用端子、メモリカードスロット（メモリカード用端子）、ＨＤＭＩ端子、ＵＳＢ端子およびディスプレイ端子が設けられている。また、第２のユニット１０２において、メモリカードスロット（メモリカード用端子）、イヤホン／マイクロホン端子、ＵＳＢ端子、ＨＤＭＩ端子およびＬＡＮ端子が設けられている。
【００１９】
各接続端子に対して、接続端子の未使用時に接続端子が露出しないようにするための端子カバー１０〜１２、２１〜２２が設けられている。端子カバー１０〜１２、２１〜２２は樹脂材料で形成されている。例えば、第１のユニット１０１において、電源プラグ用端子に対して端子カバー１０が設けられている。メモリカード用端子を内部に収容するメモリカードスロットに対して端子カバー１１ａが設けられている。ＨＤＭＩ端子に対して端子カバー１１ｂが設けられている。また、ＵＳＢ端子及びディスプレイ端子に対して端子カバー１２ａおよび端子カバー１２ｂが設けられている。第２のユニット１０２においては、メモリカードスロット、ＵＳＢ端子及びＨＤＭＩ端子に対して、１つの端子カバー２１が設けられている。また、ＬＡＮ端子に対して端子カバー２２が設けられている。
【００２０】
［１−２．端子カバー］
［１−２−１．第１のユニットにおける一つの端子カバー］
図４は、情報処理装置１００の第１のユニット１０１におけるメモリカードを挿入するメモリカードスロットの近傍の領域を説明した図である。メモリカードスロット３１の奥にはメモリカード用接続端子が配置されている。図４は、端子カバー１１ａが開き、メモリカードスロット３１が露出している状態を示している。図５および図６は、端子カバー１１ａを取り除いた状態のメモリカードスロット近傍の領域をそれぞれ示した図である。
【００２１】
図４〜図６に示すように、メモリカードスロット３１（開口）の周囲にリブ３１ａが設けられている。端子カバー１１が閉じられたときに、このリブ３１ａが端子カバー１１の内側に設けられた止水部材と当接することにより、メモリカードスロット３１の開口が密閉される（詳細は後述）。
【００２２】
また、第１の筐体１１０における、メモリカードスロット３１の上部及び下部の領域のそれぞれにおいて突起部３２ｅ、３２ｆ及び突起部３２ｃ、３２ｄが形成されている。突起部３２ｅ、３２ｆ及び３２ｃ、３２ｄは、メモリカードスロット３１が形成された面１１０ａと平行な方向に延びた板状の突起部となる。
【００２３】
また、メモリカードスロット３１の、ＨＤＭＩ端子側の横側領域において、端子カバー１１ａ、１１ｂをネジ止めして固定するためのネジ穴３３が形成されている。メモリカードスロット３１の両側の領域において、メモリカードスロット３１が形成された面１１０ａから直角に切り立った壁３６ｘ、壁３６ｙが対向して形成されている。そしてネジ穴３３から遠い方の壁３６ｘにおいて２つの係止穴３６ａ、３６ｂが設けられている。メモリカードスロット３１の周囲に設けられた突起部３２ｃ〜３２ｆ及び係止穴３６ａ、３６ｂは、端子カバー１１ａを第１のユニット１０１にロックするためのものである（詳細後述）。
【００２４】
図７は、メモリカードスロットを覆う端子カバー１１ａ及びＨＤＭＩ端子を覆う端子カバー１１ｂの斜視図である。図７に示すように、メモリカードスロットを覆う端子カバー１１ａとＨＤＭＩ端子を覆う端子カバー１１ｂとは、固定部１１ｃを介して連結されて一体的に形成されている。固定部１１ｃは、端子カバー１１ａと接続し、湾曲するヒンジ部１１ｄと、端子カバー１１ｂと接続し、湾曲するヒンジ部１１ｅとを有する。固定部１１ｃはさらに中央に開口１１ｆを有する。この開口１１ｆをとおして第１のユニット１０１のネジ穴３３にネジ止めされることで、連結カバー１１が、第１のユニット１０１に固定される。以下の説明では、端子カバー１１ａと端子カバー１１ｂとが一体的に形成された部材を「連結カバー」１１という。
【００２５】
図８は連結カバー１１の正面側から見た展開図であり、図９は連結カバー１１の裏面側から見た展開図である。連結カバー１１は、２つのスライダ１６１、１６２と、ベース部材１６３とから構成される。ベース部材１６３は、第１の蓋部１６３ａと第２の蓋部１６３ｂとを備える。第１の蓋部１６３ａと第２の蓋部１６３ｂは固定部１１ｃにより連結されている。
【００２６】
端子カバー１１ａはスライダ１６１と第１の蓋部１６３ａとを含み、スライダ１６１は第１の蓋部１６３ａに対してスライド可能に取り付けられる。図８に示すように、第１の蓋部１６３ａの幅方向の両端それぞれに２つずつ突出部が設けられている。各突出部において、第１の蓋部１６３ａの長手方向に延びる溝１６３ｐ、１６３ｑ、１６３ｒ、１６３ｓが形成されている。
【００２７】
他方、スライダ１６１においても、各溝１６３ｐ、１６３ｑ、１６３ｒ、１６３ｓに対応する位置に突起１６１ｐ、１６１ｑ、１６１ｒ、１６１ｓが設けられている。対応する突起と溝が係合することにより、スライダ１６１と第１の蓋部１６３ａとが結合される。各溝１６３ｐ、１６３ｑ、１６３ｒ、１６３ｓの長さは、突起１６１ｐ、１６１ｑ、１６１ｒ、１６１ｓの長さよりも長く設定されており、これにより、スライダ１６１が第１の蓋部１６３ａ上をスライドできるようになっている。また、スライダ１６１の長手方向の一端（固定部１１ｃ側の端でない方の端）において突起１６１ａ、１６１ｂが設けられている。
【００２８】
端子カバー１１ｂは、スライダ１６２と第２の蓋部１６３ｂとを含み、スライダ１６２は第２の蓋部１６３ｂに対してスライド可能に取り付けられる。図８に示すように、第２の蓋部１６３ｂの幅方向の両端にそれぞれ突出部が設けられている。各突出部において、第２の蓋部１６３ｂの長手方向に延びる溝１６３ｘ、１６３ｙが形成されている。
【００２９】
他方、スライダ１６２においても、各溝１６３ｘ、１６３ｙに対応する位置に突起１６２ｘ、１６２ｙが設けられている。対応する突起と溝が係合することにより、スライダ１６２と第２の蓋部１６３ｂとが結合される。各溝１６３ｘ、１６３ｙの長さは、突起１６２ｘ、１６２ｙの長さよりも長く設定されており、これにより、スライダ１６２が第２の蓋部１６３ｂ上をスライドできるようになっている。また、スライダ１６２の長手方向の一端（固定部１１ｃ側の端でない方の端）においてツメ１６２ａが設けられている。
【００３０】
図１０は、連結カバー１１の端子カバー１１ａの部分を裏側から見た図である。端子カバー１１ａ（スライダ１６１）は、幅方向の両端において、端子カバー１１ａの主面に直交する方向に、互いに対向するよう突き出た突出部１６１ｘ、１６１ｙを備える。各突出部１６１ｘ、１６１ｙは、その長手方向の両端部においてＵ字形状の係合部１６１ｅと１６１ｆ、１６１ｃと１６１ｄを有する。係合部１６１ｅと１６１ｆ、１６１ｃと１６１ｄはＵ字状の切り欠き部を有する。突出部１６１ｘに形成された係合部１６１ｅと１６１ｆは、他の突出部１６１ｙに向かう方向に突き出して形成される。同様に、突出部１６１ｙに形成された係合部１６１ｃと１６１ｄは、他の突出部１６１ｘに向かう方向に突き出して形成される。このように係合部１６１ｃ〜１６１ｆが形成されることで、係合部による端子カバー１１ａの幅方向の長さの増大を抑制することができる。
【００３１】
また、端子カバー１１ａの第１の蓋部１６３ａにおいて、第１のユニットの筐体１１０と対向する面側に、ウレタンゴム等で形成される止水部材１６４が取り付けられている（図９、図１０参照）。同様に、端子カバー１１ｂの第１のユニットの筐体１１０と対向する面においても、ウレタンゴム等で形成される止水部材１１５が取り付けられている。これらの止水部材１６４、１１５は、端子カバー１１ａ、１１ｂが閉じられたときに、接続端子を収容する開口の周囲に形成されたリブと密着することにより、開口を封止して防水機能、防塵機能を実現する。
【００３２】
以上のような構成を有する端子カバー１１ａのロック機能について説明する。
【００３３】
第１のユニット１０１において端子カバー１１ａを第１の筐体１１０に対して完全に閉じた状態（図２、図３参照）で、スライダ１６１を固定部１１ｃから遠ざかるように長手方向にスライドさせることにより、端子カバー１１をロックすることができる。
【００３４】
具体的には、スライダ１６１を長手方向にスライドさせることにより、スライダ１６１の突起１６１ａ、１６１ｂが移動し、第１の筐体１１０に設けられた係止穴３６ａ、３６ｂに挿入される。これにより、端子カバー１１ａは、長手方向の一端において第１の筐体１１０に固定される。このとき、スライダ１６１の突出部１６１ｘ、１６１ｙに設けられた４つの係合部１６１ｃ、１６１ｄ、１６１ｅ、１６１ｆは、第１の筐体１１０に設けられた突起部３２ｃ、３２ｄ、３２ｅ、３２ｆに向かって移動する。そして、最終的に、係合部１６１ｃ、１６１ｄ、１６１ｅ、１６１ｆのくぼみに、第１の筐体１１０の突起部３２ｃ、３２ｄ、３２ｅ、３２ｆが挿入される。これにより、端子カバー１１ａは、幅方向の端部において複数箇所で第１の筐体１１０に固定される。
【００３５】
図１１は、スライダ１６１の移動にともなう、スライダ１６１の突出部１６１ｘの係合部１６１ｅと第１の筐体１１０の突起部３２ｅとの係合の状態を説明した図である。スライダ１６１の移動により、図１１（Ａ）に示すように、スライダ１６１の突出部１６１ｘが突起部３２ｅに向かって移動する。そして、最終的に、図１１（Ｂ）に示すように、突出部１６１ｘの係止部１６ｅは、第１の筐体１１０の突起部３２ｅと係合する。これにより端子カバー１１ａが第１の筐体１１０に固定される。
【００３６】
以上のように、端子カバー１１ａは、長手方向及び幅方向の端部における複数箇所で第１の筐体１１０に固定されるため、より強固に第１の筐体１１０に対して固定される。よって、より高い防水性、防塵性を実現することが可能となる。
【００３７】
なお、端子カバー１１ａが第１のユニットの筐体１１０に対して完全に閉じられた状態では（図２、図３参照）、端子カバー１１ａに取り付けられた止水部材１６４と、メモリカードスロット３１の周囲に設けられたリブ３１ａとが密着する。これにより、メモリカードスロット３１（開口）が密閉され、防水性、防塵性が確保される。
【００３８】
上記の例では、端子カバー１１ａが端子カバー１１ｂと連結した例を説明したが、端子カバー１１ａは他の端子カバーと連結されて形成される必要はない。また、端子カバー１１ａは１つの接続端子のみを覆い隠したが、複数の接続端子を覆い隠すようにしてもよい。
【００３９】
［１−２−２．第２のユニットにおける一つの端子カバー］
以下、第２のユニット１０２に設けられた端子カバー２１について説明する。図１２は、第２のユニット１０２における種々の接続端子が設けられた側面を示した図である。第２のユニット１０２の側面には、メモリカードスロットと、イヤホン／マイク端子と、ＵＳ端子と、ＨＤＭＩ端子と、ＬＡＮ端子とが設けられている。メモリカードスロットと、イヤホン／マイク端子と、ＵＳ端子と、ＨＤＭＩ端子とは、１つの端子カバー２１に（以下「複合カバー」という）より覆い隠されている。ＬＡＮ端子２２は端子カバー２２により覆い隠されている。
【００４０】
図１３は、複合カバー２１を開いたときの第２のユニット１０２の側面の状態を説明した図である。図１４は、第２のユニット１０２から複合カバー２１を取り外したときの第２のユニット１０２の側面の状態を示した図である。
【００４１】
図１３及び図１４に示すように、情報処理装置１００の側面において、メモリカードスロット（メモリカード用接続端子を内部に収容する開口）と、マイク端子と、ＵＳＢ端子と、ＨＤＭＩ端子とが配置されている。メモリカードスロット及びマイク端子を収容する開口４１、４２の周囲にはリブ４１ａが設けられている。また、ＵＳＢ端子およびＨＤＭＩ端子それぞれの開口４３、４４の周囲には、リブ４３ａおよびリブ４４ａが設けられている。また、メモリカードスロット及びＨＤＭＩ端子の開口４１、４２、４４の下方において、複合カバー２１の取り付け穴４５ｐ、４５ｑが設けられている。
【００４２】
メモリカードや接続端子が設けられた領域の上下の領域において、複合カバーをロックするための突起部４７ａ、４７ｂ、４７ｃが設けられている。より具体的には、メモリカードスロット４１や接続端子の開口４２〜４４が設けられた面１２０ａと直交する第２の筐体１２０の上面１２０ｂ及び下面のそれぞれにおいて、直方体の突起部４７ａ〜４７ｃ及び４７ｄ〜４７ｆが設けられている。
【００４３】
図１５は複合カバー２１の斜視図である。図１６は、複合カバー２１の展開図である。図１６に示すように、複合カバー２１は、スライダ２１１と、蓋部２１２と、固定部２１３と、止水部材２１４と、を含む。スライダ２１１は、幅方向の両側の端部において、スライダ２１１の主面と直交する方向に延びる突出部２１１ａ〜２１１ｆを備える。各突出部２１１ａ〜２１１ｆは、その先端において、スライダ２１１の主面と平行な方向でかつ対向する突出部に向かって飛び出した係止部２１１ｘが形成されている。
【００４４】
蓋部２１２は、長手方向にスリット２１２ｄ、２１２ｅ、２１２ｆが設けられている。図面上隠れて示されていないが、蓋部２１２において、スリット２１２ｄ、２１２ｅ、２１２ｆと並列に配置された３つのスリットが、スリット２１２ｄ、２１２ｅ、２１２ｆから幅方向に離れた位置に設けられている。
【００４５】
固定部２１３は、幅方向の両端部において、固定部２１３の主面と直交する方向に延びる６つの突出部（例えば、突出部２１３ｄ）を備える。さらに、固定部２１３は複合カバー２１を第２のユニット１０２に固定するための固定片２１３ｐ、２１３ｑを備える。固定片２１３ｐ、２１３ｑは、第２の筐体１２０の取り付け穴４５ｐ、４５ｑに挿入されて第２の筐体１２０に固定される。
【００４６】
止水部材２１４はウレタンゴム等で形成され、固定部２１３に取り付けられる。
【００４７】
スライダ２１１の各突出部２１１ａ〜２１１ｆと、蓋部２１２の各スリット２１２ｄ〜２１２ｆ等と、固定部２１３の各突出部２１３ａ〜２１３ｆとは、互いに対応する位置に設けられている。スライダ２１１の突出部２１１ａ〜２１１ｆは、蓋部２１２における対応するスリット２１２ｄ〜２１２ｆ等を貫通し、固定部２１３の対応する突出部２１３ａ〜２１３ｆと係合する。すなわち、スライダ２１１の突出部２１１ａ〜２１１ｆの係止部２１１ｘと、固定部２１３の対応する突出部２１３ａ〜２１３ｆとがそれぞれ係合する。これにより、スライダ２１１と、蓋部２１２と、固定部２１３とが一体的に連結して複合カバー２１を形成する。図１７は、図１３に示す状態において複合カバー２１の蓋部２１２を取り外したときの状態を示した図である。同図に示すように、スライダ２１１の各突出部２１１ａ〜２１１ｆの係止部２１１ｘと、固定部２１３の対応する突出部２１３ａ〜２１３ｆとがそれぞれ係合している。
【００４８】
蓋部２１２のスリット２１２ｄ〜２１２ｆ等の長さ、固定部２１３の突出部２１３ａ〜２１３ｆの長さは、スライダ２１１と、蓋部２１２と、固定部２１３とが連結した状態でスライダ２１１が長手方向にスライドできるような長さに設定されている。
【００４９】
以上のような構成を有する複合カバー２１のロック機能について説明する。
【００５０】
第２のユニット１０２において端子カバー２１を第２の筐体１２０に対して完全に閉じた状態（図２、図１２参照）で、スライダ２１１を長手方向にスライドさせることにより、端子カバー２１をロックすることができる。
【００５１】
具体的には、スライダ２１１を長手方向にスライドさせることにより、スライダ２１１の突出部２１１ａ〜２１１ｆが移動する。このとき、スライダ２１１の各突出部２１１ａ〜２１１ｃ、２１１ｄ〜２１１ｆが、第２の筐体１２０に設けられた各突起部４７ａ〜４７ｃ、４７ｄ〜４７ｆに向かって移動する。そして、最終的に、各突出部２１１ａ〜２１１ｃ、２１１ｄ〜２１１ｆの係止部２１１ｘが、第２の筐体１２０の突起部４７ａ〜４７ｃ、４７ｄ〜４７ｆと係合する。これにより、端子カバー２１は、スライダ２１１の移動により、幅方向の端部において複数箇所で第２の筐体１２０に固定される。
【００５２】
図１８は、スライダ２１１の移動にともなう、スライダ２１１の突出部２１１ａの係止部２１１ｘと第２の筐体１２０の突起部４７ａとの係合の状態を説明した図である。スライダ２１１の移動により、図１８（Ａ）に示すように、スライダ２１１の突出部２１１ａが突起部４７ａに向かって移動する。そして、最終的に、図１８（Ｂ）に示すように、突出部２１１ａの係止部２１１ｘは、第２の筐体１２０の突起部４７ａと係合する。これにより端子カバー２１が第２の筐体１２０に固定される。
【００５３】
以上のように、端子カバー２１は、幅方向の端部における複数箇所で第２の筐体１２０に固定されるため、より強固に第２の筐体１２０に対して固定される。よって、より高い防水性、防塵性を実現することが可能となる。
【００５４】
なお、端子カバー２１が第２のユニットの筐体１２０に対して完全に閉じられた状態では、端子カバー２１に取り付けられた止水部材２１４と、接続端子の開口の周囲に設けられたリブとが密着する。これにより、接続端子の開口が密閉され、防水性、防塵性が確保される。
【００５５】
［１−３．効果、等］
以上のように本実施形態の情報処理装置１００は、メモリカードスロット３１（接続端子を内部に収容する開口の一例）が形成された第１の筐体１１０と、接続端子が露出しないようにメモリカードスロット３１を閉塞する端子カバー１１ａとを備える。端子カバー１１ａは、メモリカードスロット３１を閉塞する第１の蓋部１６３ａと、第１の蓋部１６３ａを第１の筐体１１０に固定するための固定部１１ｃと、第１の蓋部１６３ａに取り付けられて所定のスライド方向にスライド可能なスライダ１６１と、を備える。第１の蓋部１６３ａは、スライド方向において固定部１１ｃと連結されている。スライダ１６１は、スライド方向における端部において設けられた突起１６１ａ、１６１ｂ（第１の係合部の一例）と、スライド方向に直交する方向における２つの端部のそれぞれにおいて設けられた係合部１６１ｃ〜１６１ｄ、１６１ｅ〜１６１ｆ（第２の係合部の一例）とを有する。第１の筐体１１０は、端子カバー１１ａが閉じられた状態でスライダ１６１が所定のロック位置にあるときに、突起１６１ａ、１６１ｂと係合する係止穴３６ａ、３６ｂ（第３の係合部の一例）と、係合部１６１ｃ〜１６１ｄ、１６１ｅ〜１６１ｆと係合する突起部３２ｃ〜３２ｆ（第４の係合部の一例）とを有する。
【００５６】
この構成により、端子カバー１１ａは、複数箇所で第１の筐体１１０に固定されることから、端子カバー１１をより強固に第１の筐体１１０に密着させることができ、気密性を保つことができる。例えば、熱膨張率の違いにより端子カバー１１ａと第１の筐体１１０との膨張の程度が異なった場合であっても、端子カバー１１ａを複数箇所で固定できることから、端子カバー１１ａを第１の筐体１１０に対して高い密着度で密着させることができるため、高い防水性能、防塵性能を得ることができる。
【００５７】
また、第１の蓋部１６３ａは、スライド方向に直交する方向にある２つの端部のそれぞれにおいてスライダの主面に直交する方向に突き出た突出部１６１ｘ、１６１ｙを備えてもよい。このとき、突出部１６１ｘ、１６１ｙの先端において、係合部１６１ｃ〜１６１ｄ、１６１ｅ〜１６１ｆが設けられる。この構成により、端子カバー１１ａのスライド方向に直交する方向（幅方向）の長さを小さくでき、端子カバーの薄型化が可能となる。
【００５８】
また、第１の筐体１１０に設けられる突起部３２ｃ〜３２ｆは、第１の筐体上のメモリカードスロットが形成された面１１０ａと平行な方向に延びる板状の突起であってもよい。端子カバー１１ａの係合部１６１ｃ〜１６１ｄ、１６１ｅ〜１６１ｆは、板上の突起が挿入される開口を有してもよい。この構成によっても、端子カバー１１ａのスライド方向に直交する方向（幅方向）の長さを小さくでき、端子カバーの薄型化が可能となる。
【００５９】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００６０】
実施の形態１では、所定の接続端子（メモリカード用接続端子、イヤホン／マイク端子と、ＵＳ端子と、ＨＤＭＩ端子）を覆い隠す端子カバーの例を説明したが、端子カバーが覆い隠す接続端子の種類は上述のものに限定されない。本開示の端子カバーに関する思想は任意の種類の接続端子に対して適用できる。
【００６１】
実施の形態１で示した突起、突出部、係合部等の形状は一例であり、上述したものに限定されない。同様の機能を実現するものであれば、突起、突出部等の形状は他の形状であってもよい。
【００６２】
実施の形態１は、クッション部材２５と密着し、開口（挿入口２３）を密閉するリブ２４を第１の筐体１１０に形成したが、第１の筐体１１０以外の部材に形成してもよい。すなわち、クッション部材２５と密着し、開口（挿入口２３）を密閉することができるのでれば、リブを任意の部材上に形成しても良い。
【００６３】
実施の形態１では、電子機器の一例として、所謂デタッチャブル型コンピュータを説明したが、端子カバーに関する本開示の思想は他の種類の電子機器にも適用することができる。例えば、ノート型パソコン、タブレット端末、スマートフォン、携帯電話、デジタルカメラのような接続端子を備えた電子機器に対して適用できる。
【００６４】
以上のように、本開示における技術の例示として、実施の形態を説明した。そのために、添付図面および詳細な説明を提供した。
【００６５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６６】
また、上述の実施の形態は、本開示における技術を例示するためのものであるから、請求の範囲またはその均等の範囲において種々の変更、置き換え、付加、省略などを行うことができる。
【産業上の利用可能性】
【００６７】
本開示は、外部機器や電源プラグ等を接続するための接続端子を覆い隠す端子カバーを有し、かつ端子カバーに対する防水性や防塵性が要求される電子機器（例えば、ノートパソコン、タブレット端末、スマートフォン、携帯電話、デジタルカメラ）に有用である。
【符号の説明】
【００６８】
１０，１１ａ，１１ｂ，１２ａ，１２ｂ，２１，２２  端子カバー
１１  連結カバー
１１ａ  メモリカードスロット用端子カバー
１１ｂ  ＨＤＭＩ端子用端子カバー
１１ｃ  固定部
２１  複合カバー
３１，４１  メモリカードスロット
３１ａ，４１ａ  リブ
３２ｃ〜３２ｆ  突起部
３３  ネジ穴
３６ａ，３６ｂ  係止穴
４２〜４４  接続端子を収容する開口
４７ａ〜４７ｆ  突起部
１００  情報処理装置
１０１  第１のユニット
１０２  第２のユニット（タブレット端末）
１１０  第１の筐体
１１５，１６４，２１４  止水部材
１２０  第２の筐体
１３０  ホルダ
１４０  ヒンジ部
１６１，１６２，２１１  スライダ
１６１ａ，１６１ｂ  突起
１６１ｘ，１６１ｙ  スライダの突出部
１６１ｃ〜１６１ｆ  係合部
１６３ａ  第１の蓋部
１６３ｂ  第２の蓋部
２１２  蓋部
２１３  固定部
２１３ａ〜２１３ｆ  固定部の突出部
２１１ａ〜２１１ｆ  スライダの突出部
２１１ｘ  係止部
【図１】
2017077670.tif 000003
【図２】
2017077670.tif 000004
【図３】
2017077670.tif 000005
【図４】
2017077670.tif 000006
【図５】
2017077670.tif 000007
【図６】
2017077670.tif 000008
【図７】
2017077670.tif 000009
【図８】
2017077670.tif 000010
【図９】
2017077670.tif 000011
【図１０】
2017077670.tif 000012
【図１１】
2017077670.tif 000013
【図１２】
2017077670.tif 000014
【図１３】
2017077670.tif 000015
【図１４】
2017077670.tif 000016
【図１５】
2017077670.tif 000017
【図１６】
2017077670.tif 000018
【図１７】
2017077670.tif 000019
【図１８】
2017077670.tif 000020
【手続補正書】
【提出日】平成30年4月2日(2018.4.2)
【手続補正１】
【補正対象書類名】明細書
【補正対象項目名】全文
【補正方法】変更
【補正の内容】
【発明の詳細な説明】
【技術分野】
【０００１】
本開示は、防水性及び防塵性を有する端子カバーを備えた電子機器に関する。
【背景技術】
【０００２】
特許文献１は、スマートフォン等の電子機器の接続端子を覆う蓋を開閉する開閉機構に関する止水構造を開示する。具体的には、特許文献１は、開口が形成された本体部材と、開口を止水する止水部材を備えた蓋部材と、本体部材に設けられ、円形孔と、該円形孔と連通した長孔とを備えた軸孔が形成された案内部材と、蓋部材に設けられ、軸孔に支持され、円形孔内で回転し、長孔内で回転規制されると共に本体部材側へ案内される軸部と、軸部を本体部材から離れる離脱方向に付勢する第一付勢部と、軸部を回転方向に付勢する第二付勢部と、止水部材が開口を止水した状態で蓋部材を本体部材に係止する係止部材と、を有する止水構造を開示する。この止水構造によれば、操作者がカバーを閉止するときの衝撃による止水性能の低下を抑制することができる。
【先行技術文献】
【特許文献】
【０００３】
【特許文献１】特開２０１５−１５３８６５号公報
【発明の概要】
【０００４】
本開示は、接続端子の防水性および防塵性を有した端子カバーを備えた電子機器を提供する。
【０００５】
本開示の態様において、接続端子を内部に収容する開口が形成された筐体と、接続端子が露出しないように開口を閉塞する端子カバーとを備えた電子機器が提供される。端子カバーは、開口を閉塞する蓋部と、蓋部を筐体に固定するための固定部と、蓋部に取り付けられて所定のスライド方向にスライド可能なスライダと、を備える。蓋部は、スライド方向において固定部と連結されている。スライダは、スライド方向における端部において設けられた第１の係合部と、スライド方向に直交する方向における２つの端部のそれぞれにおいて設けられた第２の係合部とを有する。筐体は、端子カバーが閉じられた状態でスライダが所定のロック位置にあるときに、第１の係合部と係合する第３の係合部と、第２の係合部と係合する第４の係合部とを有する。
【０００６】
本開示によれば、電子機器において、端子カバーを複数箇所で筐体に固定できるため、端子カバーの気密性すなわち防水性、防塵性を高めることができる。
【図面の簡単な説明】
【０００７】
【図１】図１は、本開示の実施の形態１に係る情報処理装置の斜視図である。
【図２】図２は、第２のユニットを第１のユニットに対して閉じた状態での情報処理装置の斜視図である。
【図３】図３は、情報処理装置の側面に配置された各種接続端子を説明した図である。
【図４】図４は、メモリカードスロット用の端子カバーを開いたときのメモリカードスロットの状態を示した図である。
【図５】図５は、メモリカードスロット用の端子カバーを取り除いた状態でのメモリカードスロット及びその近傍領域を示した図である。
【図６】図６は、メモリカードスロット用の端子カバーを取り除いた状態でのメモリカードスロット及びその近傍領域を示した図である。
【図７】図７は、メモリカードスロット用の端子カバーとＨＤＭＩ（登録商標）端子用の端子カバーとを連結した連結カバーの斜視図（表面側）である。
【図８】図８は、連結カバーの斜視図（表面側）である。
【図９】図９は、連結カバーの展開図（裏面側から見た図）である。
【図１０】図１０は、メモリカードスロット用の端子カバーの斜視図（裏面側から見た図）である。
【図１１】図１１は、メモリカードスロット用の端子カバーのロック動作を説明するための図である。
【図１２】図１２は、情報処理装置の第２のユニット側に設けられた複合カバーを示した図である。
【図１３】図１３は、複合カバーを開いたときの情報処理装置の第２のユニット側に設けられた接続端子を示した図である。
【図１４】図１４は、情報処理装置の第２のユニット側に配置された接続端子を示した図である。
【図１５】図１５は、複合カバーの斜視図である。
【図１６】図１６は、複合カバーの展開図である。
【図１７】図１７は、図１３に示す状態において複合カバーの蓋部を取り外したときの状態を示した図である。
【図１８】図１８は、複合カバーのロック動作を説明するための図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者（ら）は、当業者が本開示を十分に理解するために添付図面および以下の説明を提供するのであって、これらによって請求の範囲に記載の主題を限定することを意図するものではない。
【００１０】
（実施の形態１）
［１−１．全体構成］
図１は、本開示の実施の形態１に係る電子機器の一例である情報処理装置の斜視図である。
【００１１】
図１に示すように、情報処理装置１００は、第１のユニット１０１と、第２のユニット１０２とを備える。第２のユニット１０２は、第１のユニット１０１に対して着脱可能である。第２のユニット１０２を第１のユニット１０１に装着した場合、情報処理装置１００はノートブック型コンピュータとして利用することができる。第２のユニット１０２は単体で、タブレット型コンピュータとして利用することができる。このように情報処理装置１００は所謂デタッチャブル型コンピュータである。
【００１２】
第２のユニット１０２はタブレット型コンピュータとしての機能を有する。第２のユニット１０２は表示部１２１を備える。表示部１２１は、例えば液晶表示デバイスで構成され、第２の筐体１２０の一主面に取り付けられる。表示部１２１は有機ＥＬデバイスのような他の表示デバイスで構成されてもよい。表示部１２１には、液晶表示デバイスに重畳してユーザのタッチ操作を受付可能なタッチパネルが設けられている。第２のユニット１０２は、コンピュータとしての機能を実現するため、中央演算処理装置（ＣＰＵ）、揮発性記憶装置（ＲＡＭ）、不揮発性記憶装置（ＲＯＭ、ＳＳＤ等）、バッテリ等を内蔵している。不揮発性記憶装置（ＲＯＭ、ＳＳＤ等）には、オペレーティングシステム（ＯＳ）、種々のアプリケーションプログラム、種々のデータ等が格納されている。中央演算処理装置（ＣＰＵ）は、ＯＳ、アプリケーションプログラム、種々のデータを読み込んで演算処理を実行することにより、種々の機能を実現する。
【００１３】
第１のユニット１０１は、第１の筐体１１０と、ホルダ１３０と、ヒンジ部１４０とを備える。第１の筐体１１０は、例えば、マグネシウム合金などの金属や樹脂により形成される。第１のユニット１０１は、第２のユニットに対してユーザが入力操作を行うための入力部を備える。入力部として、第１の筐体１１０には、キーボード１１１、タッチパッド１１２及び操作ボタン１１３等が設けられている。
【００１４】
ホルダ１３０は第１のユニット１０１と電気的にまたは機械的に接続されている。ホルダ１３０は、第２のユニット１０２の一部を収容することで第２のユニット１０２を装着する。ホルダ１３０は、第２のユニット１０２を装着したときに、第１のユニット１０１と第２のユニット１０２とを電気的に接続する。
【００１５】
ヒンジ部１４０は、ホルダ１３０（すなわち、第２のユニット１０２）が第１のユニット１０１に対して回動できるようにホルダ１３０と第１のユニット１０１を連結する。
【００１６】
ホルダ１３０内には、第２のユニットのコネクタ（図示せず）と接続されるコネクタ（図示せず）が設けられている。また、ヒンジ部１４０内には、ホルダ１３０と第１のユニット１０１との間で各種信号や電力のやりとりするための配線が通されている。これらのコネクタや配線を介して、第２のユニット１０２と第１のユニット１０１との間で、種々の信号や電力の授受を行うことが可能となっている。
【００１７】
図２は、第１のユニット１０１に対して第２のユニット１０２を閉じた状態での情報処理装置１００の斜視図である。図２に示すように、第１のユニット１０１及び第２のユニット１０２のそれぞれの側面（領域Ｒ）において、電源プラグ、外部機器、メモリカード等を接続するための接続端子やスロットが設けられている。図３は、情報処理装置１００における接続端子が設けられた側面部分を拡大した図である。
【００１８】
具体的には、第１のユニット１０１において、電源プラグ用端子、メモリカードスロット（メモリカード用端子）、ＨＤＭＩ端子、ＵＳＢ端子およびディスプレイ端子が設けられている。また、第２のユニット１０２において、メモリカードスロット（メモリカード用端子）、イヤホン／マイクロホン端子、ＵＳＢ端子、ＨＤＭＩ端子およびＬＡＮ端子が設けられている。
【００１９】
各接続端子に対して、接続端子の未使用時に接続端子が露出しないようにするための端子カバー１０〜１２、２１〜２２が設けられている。端子カバー１０〜１２、２１〜２２は樹脂材料で形成されている。例えば、第１のユニット１０１において、電源プラグ用端子に対して端子カバー１０が設けられている。メモリカード用端子を内部に収容するメモリカードスロットに対して端子カバー１１ａが設けられている。ＨＤＭＩ端子に対して端子カバー１１ｂが設けられている。また、ＵＳＢ端子及びディスプレイ端子に対して端子カバー１２ａおよび端子カバー１２ｂが設けられている。第２のユニット１０２においては、メモリカードスロット、ＵＳＢ端子及びＨＤＭＩ端子に対して、１つの端子カバー２１が設けられている。また、ＬＡＮ端子に対して端子カバー２２が設けられている。
【００２０】
［１−２．端子カバー］
［１−２−１．第１のユニットにおける一つの端子カバー］
図４は、情報処理装置１００の第１のユニット１０１におけるメモリカードを挿入するメモリカードスロットの近傍の領域を説明した図である。メモリカードスロット３１の奥にはメモリカード用接続端子が配置されている。図４は、端子カバー１１ａが開き、メモリカードスロット３１が露出している状態を示している。図５および図６は、端子カバー１１ａを取り除いた状態のメモリカードスロット近傍の領域をそれぞれ示した図である。
【００２１】
図４〜図６に示すように、メモリカードスロット３１（開口）の周囲にリブ３１ａが設けられている。端子カバー１１ａが閉じられたときに、このリブ３１ａが端子カバー１１ａの内側に設けられた止水部材と当接することにより、メモリカードスロット３１の開口が密閉される（詳細は後述）。
【００２２】
また、第１の筐体１１０における、メモリカードスロット３１の上部及び下部の領域のそれぞれにおいて突起部３２ｅ、３２ｆ及び突起部３２ｃ、３２ｄが形成されている。突起部３２ｅ、３２ｆ及び３２ｃ、３２ｄは、メモリカードスロット３１が形成された面１１０ａと平行な方向に延びた板状の突起部となる。
【００２３】
また、メモリカードスロット３１の、ＨＤＭＩ端子側の横側領域において、端子カバー１１ａ、１１ｂをネジ止めして固定するためのネジ穴３３が形成されている。メモリカードスロット３１の両側の領域において、メモリカードスロット３１が形成された面１１０ａから直角に切り立った壁３６ｘ、壁３６ｙが対向して形成されている。そしてネジ穴３３から遠い方の壁３６ｘにおいて２つの係止穴３６ａ、３６ｂが設けられている。メモリカードスロット３１の周囲に設けられた突起部３２ｃ〜３２ｆ及び係止穴３６ａ、３６ｂは、端子カバー１１ａを第１のユニット１０１にロックするためのものである（詳細後述）。
【００２４】
図７は、メモリカードスロットを覆う端子カバー１１ａ及びＨＤＭＩ端子を覆う端子カバー１１ｂの斜視図である。図７に示すように、メモリカードスロットを覆う端子カバー１１ａとＨＤＭＩ端子を覆う端子カバー１１ｂとは、固定部１１ｃを介して連結されて一体的に形成されている。固定部１１ｃは、端子カバー１１ａと接続し、湾曲するヒンジ部１１ｄと、端子カバー１１ｂと接続し、湾曲するヒンジ部１１ｅとを有する。固定部１１ｃはさらに中央に開口１１ｆを有する。この開口１１ｆをとおして第１のユニット１０１のネジ穴３３にネジ止めされることで、連結カバー１１が、第１のユニット１０１に固定される。以下の説明では、端子カバー１１ａと端子カバー１１ｂとが一体的に形成された部材を「連結カバー」１１という。
【００２５】
図８は連結カバー１１の正面側から見た展開図であり、図９は連結カバー１１の裏面側から見た展開図である。連結カバー１１は、２つのスライダ１６１、１６２と、ベース部材１６３とから構成される。ベース部材１６３は、第１の蓋部１６３ａと第２の蓋部１６３ｂとを備える。第１の蓋部１６３ａと第２の蓋部１６３ｂは固定部１１ｃにより連結されている。
【００２６】
端子カバー１１ａはスライダ１６１と第１の蓋部１６３ａとを含み、スライダ１６１は第１の蓋部１６３ａに対してスライド可能に取り付けられる。図８に示すように、第１の蓋部１６３ａの幅方向の両端それぞれに２つずつ突出部が設けられている。各突出部において、第１の蓋部１６３ａの長手方向に延びる溝１６３ｐ、１６３ｑ、１６３ｒ、１６３ｓが形成されている。
【００２７】
他方、スライダ１６１においても、各溝１６３ｐ、１６３ｑ、１６３ｒ、１６３ｓに対応する位置に突起１６１ｐ、１６１ｑ、１６１ｒ、１６１ｓが設けられている。対応する突起と溝が係合することにより、スライダ１６１と第１の蓋部１６３ａとが結合される。各溝１６３ｐ、１６３ｑ、１６３ｒ、１６３ｓの長さは、突起１６１ｐ、１６１ｑ、１６１ｒ、１６１ｓの長さよりも長く設定されており、これにより、スライダ１６１が第１の蓋部１６３ａ上をスライドできるようになっている。また、スライダ１６１の長手方向の一端（固定部１１ｃ側の端でない方の端）において突起１６１ａ、１６１ｂが設けられている。
【００２８】
端子カバー１１ｂは、スライダ１６２と第２の蓋部１６３ｂとを含み、スライダ１６２は第２の蓋部１６３ｂに対してスライド可能に取り付けられる。図８に示すように、第２の蓋部１６３ｂの幅方向の両端にそれぞれ突出部が設けられている。各突出部において、第２の蓋部１６３ｂの長手方向に延びる溝１６３ｘ、１６３ｙが形成されている。
【００２９】
他方、スライダ１６２においても、各溝１６３ｘ、１６３ｙに対応する位置に突起１６２ｘ、１６２ｙが設けられている。対応する突起と溝が係合することにより、スライダ１６２と第２の蓋部１６３ｂとが結合される。各溝１６３ｘ、１６３ｙの長さは、突起１６２ｘ、１６２ｙの長さよりも長く設定されており、これにより、スライダ１６２が第２の蓋部１６３ｂ上をスライドできるようになっている。また、スライダ１６２の長手方向の一端（固定部１１ｃ側の端でない方の端）においてツメ１６２ａが設けられている。
【００３０】
図１０は、連結カバー１１の端子カバー１１ａの部分を裏側から見た図である。端子カバー１１ａ（スライダ１６１）は、幅方向の両端において、端子カバー１１ａの主面に直交する方向に、互いに対向するよう突き出た突出部１６１ｘ、１６１ｙを備える。各突出部１６１ｘ、１６１ｙは、その長手方向の両端部においてＵ字形状の係合部１６１ｅと１６１ｆ、１６１ｃと１６１ｄを有する。係合部１６１ｅと１６１ｆ、１６１ｃと１６１ｄはＵ字状の切り欠き部を有する。突出部１６１ｘに形成された係合部１６１ｅと１６１ｆは、他の突出部１６１ｙに向かう方向に突き出して形成される。同様に、突出部１６１ｙに形成された係合部１６１ｃと１６１ｄは、他の突出部１６１ｘに向かう方向に突き出して形成される。このように係合部１６１ｃ〜１６１ｆが形成されることで、係合部による端子カバー１１ａの幅方向の長さの増大を抑制することができる。
【００３１】
また、端子カバー１１ａの第１の蓋部１６３ａにおいて、第１のユニットの筐体１１０と対向する面側に、ウレタンゴム等で形成される止水部材１６４が取り付けられている（図９、図１０参照）。同様に、端子カバー１１ｂの第２の蓋部１６３ｂにおいて、第１のユニットの筐体１１０と対向する面においても、ウレタンゴム等で形成される止水部材１１５が取り付けられている。これらの止水部材１６４、１１５は、端子カバー１１ａ、１１ｂが閉じられたときに、接続端子を収容する開口の周囲に形成されたリブと密着することにより、開口を封止して防水機能、防塵機能を実現する。
【００３２】
以上のような構成を有する端子カバー１１ａのロック機能について説明する。
【００３３】
第１のユニット１０１において端子カバー１１ａを第１の筐体１１０に対して完全に閉じた状態（図２、図３参照）で、スライダ１６１を固定部１１ｃから遠ざかるように長手方向にスライドさせることにより、端子カバー１１ａをロックすることができる。
【００３４】
具体的には、スライダ１６１を長手方向にスライドさせることにより、スライダ１６１の突起１６１ａ、１６１ｂが移動し、第１の筐体１１０に設けられた係止穴３６ａ、３６ｂに挿入される。これにより、端子カバー１１ａは、長手方向の一端において第１の筐体１１０に固定される。このとき、スライダ１６１の突出部１６１ｘ、１６１ｙに設けられた４つの係合部１６１ｃ、１６１ｄ、１６１ｅ、１６１ｆは、第１の筐体１１０に設けられた突起部３２ｃ、３２ｄ、３２ｅ、３２ｆに向かって移動する。そして、最終的に、係合部１６１ｃ、１６１ｄ、１６１ｅ、１６１ｆのくぼみに、第１の筐体１１０の突起部３２ｃ、３２ｄ、３２ｅ、３２ｆが挿入される。これにより、端子カバー１１ａは、幅方向の端部において複数箇所で第１の筐体１１０に固定される。
【００３５】
図１１は、スライダ１６１の移動にともなう、スライダ１６１の突出部１６１ｘの係合部１６１ｅと第１の筐体１１０の突起部３２ｅとの係合の状態を説明した図である。スライダ１６１の移動により、図１１（Ａ）に示すように、スライダ１６１の突出部１６１ｘが突起部３２ｅに向かって移動する。そして、最終的に、図１１（Ｂ）に示すように、突出部１６１ｘの係合部１６１ｅは、第１の筐体１１０の突起部３２ｅと係合する。これにより端子カバー１１ａが第１の筐体１１０に固定される。
【００３６】
以上のように、端子カバー１１ａは、長手方向及び幅方向の端部における複数箇所で第１の筐体１１０に固定されるため、より強固に第１の筐体１１０に対して固定される。よって、より高い防水性、防塵性を実現することが可能となる。
【００３７】
なお、端子カバー１１ａが第１のユニットの筐体１１０に対して完全に閉じられた状態では（図２、図３参照）、端子カバー１１ａに取り付けられた止水部材１６４と、メモリカードスロット３１の周囲に設けられたリブ３１ａとが密着する。これにより、メモリカードスロット３１（開口）が密閉され、防水性、防塵性が確保される。
【００３８】
上記の例では、端子カバー１１ａが端子カバー１１ｂと連結した例を説明したが、端子カバー１１ａは他の端子カバーと連結されて形成される必要はない。また、端子カバー１１ａは１つの接続端子のみを覆い隠したが、複数の接続端子を覆い隠すようにしてもよい。
【００３９】
［１−２−２．第２のユニットにおける一つの端子カバー］
以下、第２のユニット１０２に設けられた端子カバー２１について説明する。図１２は、第２のユニット１０２における種々の接続端子が設けられた側面を示した図である。第２のユニット１０２の側面には、メモリカードスロットと、イヤホン／マイクロホン端子と、ＵＳＢ端子と、ＨＤＭＩ端子と、ＬＡＮ端子とが設けられている。メモリカードスロットと、イヤホン／マイクロホン端子と、ＵＳＢ端子と、ＨＤＭＩ端子とは、１つの端子カバー２１に（以下「複合カバー」という）より覆い隠されている。ＬＡＮ端子は端子カバー２２により覆い隠されている。
【００４０】
図１３は、複合カバー２１を開いたときの第２のユニット１０２の側面の状態を説明した図である。図１４は、第２のユニット１０２から複合カバー２１を取り外したときの第２のユニット１０２の側面の状態を示した図である。
【００４１】
図１３及び図１４に示すように、情報処理装置１００の側面において、メモリカードスロット（メモリカード用接続端子を内部に収容する開口）と、イヤホン／マイクロホン端子と、ＵＳＢ端子と、ＨＤＭＩ端子とが配置されている。メモリカードスロット及びイヤホン／マイクロホン端子を収容する開口４１、４２の周囲にはリブ４１ａが設けられている。また、ＵＳＢ端子およびＨＤＭＩ端子それぞれの開口４３、４４の周囲には、リブ４３ａおよびリブ４４ａが設けられている。また、メモリカードスロット及びＨＤＭＩ端子の開口４１、４４の下方において、複合カバー２１の取り付け穴４５ｐ、４５ｑが設けられている。
【００４２】
メモリカードや接続端子が設けられた領域の上下の領域において、複合カバーをロックするための突起部４７ａ、４７ｂ、４７ｃ、４７ｄ、４７ｅ、４７ｆが設けられている。より具体的には、メモリカードスロット４１や接続端子の開口４２〜４４が設けられた面１２０ａと直交する第２の筐体１２０の上面１２０ｂ及び下面のそれぞれにおいて、直方体の突起部４７ａ〜４７ｃ及び４７ｄ〜４７ｆが設けられている。
【００４３】
図１５は複合カバー２１の斜視図である。図１６は、複合カバー２１の展開図である。図１６に示すように、複合カバー２１は、スライダ２１１と、蓋部２１２と、固定部２１３と、止水部材２１４と、を含む。スライダ２１１は、幅方向の両側の端部において、スライダ２１１の主面と直交する方向に延びる突出部２１１ａ〜２１１ｆを備える。各突出部２１１ａ〜２１１ｆは、その先端において、スライダ２１１の主面と平行な方向でかつ対向する突出部に向かって飛び出した係止部２１１ｘが形成されている。
【００４４】
蓋部２１２は、長手方向にスリット２１２ｄ、２１２ｅ、２１２ｆが設けられている。図面上隠れて示されていないが、蓋部２１２において、スリット２１２ｄ、２１２ｅ、２１２ｆと並列に配置された３つのスリットが、スリット２１２ｄ、２１２ｅ、２１２ｆから幅方向に離れた位置に設けられている。
【００４５】
固定部２１３は、幅方向の両端部において、固定部２１３の主面と直交する方向に延びる６つの突出部（例えば、突出部２１３ｄ）を備える。さらに、固定部２１３は複合カバー２１を第２のユニット１０２に固定するための固定片２１３ｐ、２１３ｑを備える。固定片２１３ｐ、２１３ｑは、第２の筐体１２０の取り付け穴４５ｐ、４５ｑに挿入されて第２の筐体１２０に固定される。
【００４６】
止水部材２１４はウレタンゴム等で形成され、固定部２１３に取り付けられる。
【００４７】
スライダ２１１の各突出部２１１ａ〜２１１ｆと、蓋部２１２の各スリット２１２ｄ〜２１２ｆ等と、固定部２１３の各突出部２１３ａ〜２１３ｆとは、互いに対応する位置に設けられている。スライダ２１１の突出部２１１ａ〜２１１ｆは、蓋部２１２における対応するスリット２１２ｄ〜２１２ｆ等を貫通し、固定部２１３の対応する突出部２１３ａ〜２１３ｆと係合する。すなわち、スライダ２１１の突出部２１１ａ〜２１１ｆの係止部２１１ｘと、固定部２１３の対応する突出部２１３ａ〜２１３ｆとがそれぞれ係合する。これにより、スライダ２１１と、蓋部２１２と、固定部２１３とが一体的に連結して複合カバー２１を形成する。図１７は、図１３に示す状態において複合カバー２１の蓋部２１２を取り外したときの状態を示した図である。同図に示すように、スライダ２１１の各突出部２１１ａ〜２１１ｆの係止部２１１ｘと、固定部２１３の対応する突出部２１３ａ〜２１３ｆとがそれぞれ係合している。
【００４８】
蓋部２１２のスリット２１２ｄ〜２１２ｆ等の長さ、固定部２１３の突出部２１３ａ〜２１３ｆの長さは、スライダ２１１と、蓋部２１２と、固定部２１３とが連結した状態でスライダ２１１が長手方向にスライドできるような長さに設定されている。
【００４９】
以上のような構成を有する複合カバー２１のロック機能について説明する。
【００５０】
第２のユニット１０２において複合カバー２１を第２の筐体１２０に対して完全に閉じた状態（図２、図１２参照）で、スライダ２１１を長手方向にスライドさせることにより、複合カバー２１をロックすることができる。
【００５１】
具体的には、スライダ２１１を長手方向にスライドさせることにより、スライダ２１１の突出部２１１ａ〜２１１ｆが移動する。このとき、スライダ２１１の各突出部２１１ａ〜２１１ｃ、２１１ｄ〜２１１ｆが、第２の筐体１２０に設けられた各突起部４７ａ〜４７ｃ、４７ｄ〜４７ｆに向かって移動する。そして、最終的に、各突出部２１１ａ〜２１１ｃ、２１１ｄ〜２１１ｆの係止部２１１ｘが、第２の筐体１２０の突起部４７ａ〜４７ｃ、４７ｄ〜４７ｆと係合する。これにより、複合カバー２１は、スライダ２１１の移動により、幅方向の端部において複数箇所で第２の筐体１２０に固定される。
【００５２】
図１８は、スライダ２１１の移動にともなう、スライダ２１１の突出部２１１ａの係止部２１１ｘと第２の筐体１２０の突起部４７ａとの係合の状態を説明した図である。スライダ２１１の移動により、図１８（Ａ）に示すように、スライダ２１１の突出部２１１ａが突起部４７ａに向かって移動する。そして、最終的に、図１８（Ｂ）に示すように、突出部２１１ａの係止部２１１ｘは、第２の筐体１２０の突起部４７ａと係合する。これにより複合カバー２１が第２の筐体１２０に固定される。
【００５３】
以上のように、複合カバー２１は、幅方向の端部における複数箇所で第２の筐体１２０に固定されるため、より強固に第２の筐体１２０に対して固定される。よって、より高い防水性、防塵性を実現することが可能となる。
【００５４】
なお、複合カバー２１が第２のユニットの筐体１２０に対して完全に閉じられた状態では、複合カバー２１に取り付けられた止水部材２１４と、接続端子の開口の周囲に設けられたリブとが密着する。これにより、接続端子の開口が密閉され、防水性、防塵性が確保される。
【００５５】
［１−３．効果、等］
以上のように本実施形態の情報処理装置１００は、メモリカードスロット３１（接続端子を内部に収容する開口の一例）が形成された第１の筐体１１０と、接続端子が露出しないようにメモリカードスロット３１を閉塞する端子カバー１１ａとを備える。端子カバー１１ａは、メモリカードスロット３１を閉塞する第１の蓋部１６３ａと、第１の蓋部１６３ａを第１の筐体１１０に固定するための固定部１１ｃと、第１の蓋部１６３ａに取り付けられて所定のスライド方向にスライド可能なスライダ１６１と、を備える。第１の蓋部１６３ａは、スライド方向において固定部１１ｃと連結されている。スライダ１６１は、スライド方向における端部において設けられた突起１６１ａ、１６１ｂ（第１の係合部の一例）と、スライド方向に直交する方向における２つの端部のそれぞれにおいて設けられた係合部１６１ｃ〜１６１ｄ、１６１ｅ〜１６１ｆ（第２の係合部の一例）とを有する。第１の筐体１１０は、端子カバー１１ａが閉じられた状態でスライダ１６１が所定のロック位置にあるときに、突起１６１ａ、１６１ｂと係合する係止穴３６ａ、３６ｂ（第３の係合部の一例）と、係合部１６１ｃ〜１６１ｄ、１６１ｅ〜１６１ｆと係合する突起部３２ｃ〜３２ｆ（第４の係合部の一例）とを有する。
【００５６】
この構成により、端子カバー１１ａは、複数箇所で第１の筐体１１０に固定されることから、端子カバー１１ａをより強固に第１の筐体１１０に密着させることができ、気密性を保つことができる。例えば、熱膨張率の違いにより端子カバー１１ａと第１の筐体１１０との膨張の程度が異なった場合であっても、端子カバー１１ａを複数箇所で固定できることから、端子カバー１１ａを第１の筐体１１０に対して高い密着度で密着させることができるため、高い防水性能、防塵性能を得ることができる。
【００５７】
また、スライダ１６１は、スライド方向に直交する方向にある２つの端部のそれぞれにおいてスライダの主面に直交する方向に突き出た突出部１６１ｘ、１６１ｙを備えてもよい。このとき、突出部１６１ｘ、１６１ｙの先端において、係合部１６１ｃ〜１６１ｄ、１６１ｅ〜１６１ｆが設けられる。この構成により、端子カバー１１ａのスライド方向に直交する方向（幅方向）の長さを小さくでき、端子カバーの薄型化が可能となる。
【００５８】
また、第１の筐体１１０に設けられる突起部３２ｃ〜３２ｆは、第１の筐体上のメモリカードスロットが形成された面１１０ａと平行な方向に延びる板状の突起であってもよい。端子カバー１１ａの係合部１６１ｃ〜１６１ｄ、１６１ｅ〜１６１ｆは、板状の突起が挿入される開口を有してもよい。この構成によっても、端子カバー１１ａのスライド方向に直交する方向（幅方向）の長さを小さくでき、端子カバーの薄型化が可能となる。
【００５９】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００６０】
実施の形態１では、所定の接続端子（メモリカード用接続端子、イヤホン／マイクロホン端子と、ＵＳＢ端子と、ＨＤＭＩ端子）を覆い隠す端子カバーの例を説明したが、端子カバーが覆い隠す接続端子の種類は上述のものに限定されない。本開示の端子カバーに関する思想は任意の種類の接続端子に対して適用できる。
【００６１】
実施の形態１で示した突起、突出部、係合部等の形状は一例であり、上述したものに限定されない。同様の機能を実現するものであれば、突起、突出部等の形状は他の形状であってもよい。
【００６２】
実施の形態１は、止水部材と密着し、開口（挿入口）を密閉するリブを第１の筐体１１０に形成したが、第１の筐体１１０以外の部材に形成してもよい。すなわち、止水部材と密着し、開口（挿入口）を密閉することができるのでれば、リブを任意の部材上に形成しても良い。
【００６３】
実施の形態１では、電子機器の一例として、所謂デタッチャブル型コンピュータを説明したが、端子カバーに関する本開示の思想は他の種類の電子機器にも適用することができる。例えば、ノート型パソコン、タブレット端末、スマートフォン、携帯電話、デジタルカメラのような接続端子を備えた電子機器に対して適用できる。
【００６４】
以上のように、本開示における技術の例示として、実施の形態を説明した。そのために、添付図面および詳細な説明を提供した。
【００６５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６６】
また、上述の実施の形態は、本開示における技術を例示するためのものであるから、請求の範囲またはその均等の範囲において種々の変更、置き換え、付加、省略などを行うことができる。
【産業上の利用可能性】
【００６７】
本開示は、外部機器や電源プラグ等を接続するための接続端子を覆い隠す端子カバーを有し、かつ端子カバーに対する防水性や防塵性が要求される電子機器（例えば、ノートパソコン、タブレット端末、スマートフォン、携帯電話、デジタルカメラ）に有用である。
【符号の説明】
【００６８】
１０、１１ａ、１１ｂ、１２ａ、１２ｂ、２１、２２    端子カバー
１１    連結カバー
１１ａ    メモリカードスロット用端子カバー
１１ｂ    ＨＤＭＩ端子用端子カバー
１１ｃ    固定部
２１    複合カバー
３１、４１    メモリカードスロット
３１ａ、４１ａ    リブ
３２ｃ〜３２ｆ    突起部
３３    ネジ穴
３６ａ、３６ｂ    係止穴
４２〜４４    接続端子を収容する開口
４７ａ〜４７ｆ    突起部
１００    情報処理装置
１０１    第１のユニット
１０２    第２のユニット（タブレット端末）
１１０    第１の筐体
１１５、１６４、２１４    止水部材
１２０    第２の筐体
１３０    ホルダ
１４０    ヒンジ部
１６１、１６２、２１１    スライダ
１６１ａ、１６１ｂ    突起
１６１ｘ、１６１ｙ    スライダの突出部
１６１ｃ〜１６１ｆ    係合部
１６３ａ    第１の蓋部
１６３ｂ    第２の蓋部
２１２    蓋部
２１３    固定部
２１３ａ〜２１３ｆ    固定部の突出部
２１１ａ〜２１１ｆ    スライダの突出部
２１１ｘ    係止部
【手続補正２】
【補正対象書類名】特許請求の範囲
【補正対象項目名】全文
【補正方法】変更
【補正の内容】
【特許請求の範囲】
【請求項１】
接続端子を内部に収容する開口が形成された筐体と、
接続端子が露出しないように前記開口を閉塞する端子カバーとを備え、
前記端子カバーは、前記開口を閉塞する蓋部と、前記蓋部を筐体に固定するための固定部と、前記蓋部に取り付けられて所定のスライド方向にスライド可能なスライダと、を備え、
前記蓋部は、前記スライド方向において前記固定部と連結されており、
前記スライダは、前記スライド方向における前記スライダの端部において設けられた第１の係合部と、前記スライド方向に直交する方向における前記スライダの２つの端部のそれぞれにおいて設けられた第２の係合部とを有し、
前記筐体は、前記端子カバーが閉じられた状態で前記スライダが所定のロック位置にあるときに、前記第１の係合部と係合する第３の係合部と、前記第２の係合部と係合する第４の係合部とを有する、
電子機器。
【請求項２】
前記スライダは、前記スライド方向に直交する方向における前記スライダの２つの端部のそれぞれにおいて前記スライダの主面に直交する方向に突き出た突出部を備え、
前記突出部の先端において前記第２の係合部が設けられている、
請求項１に記載の電子機器。
【請求項３】
前記第４の係合部は、前記筐体上の前記開口が形成された面と平行な方向に延びる板状の突起であり、
前記第２の係合部は、前記板状の突起が挿入される開口を有する、
請求項２に記載の電子機器。
【請求項４】
前記筐体の開口の周囲にリブが設けられ、
前記蓋部に、前記端子カバーが閉じられた状態で前記リブと密着する止水部材が取り付けられた、請求項１に記載の電子機器。
【請求項５】
前記開口は、当該電子機器の側面に配置された、請求項１〜４のいずれかに記載の電子機器。
【請求項６】
ノート型パソコン、タブレット端末、スマートフォン、携帯電話およびデジタルカメラのいずれかである、請求項１〜４のいずれかに記載の電子機器。
【手続補正３】
【補正対象書類名】図面
【補正対象項目名】全図
【補正方法】変更
【補正の内容】
【図１】
2017077670.tif 000021
【図２】
2017077670.tif 000022
【図３】
2017077670.tif 000023
【図４】
2017077670.tif 000024
【図５】
2017077670.tif 000025
【図６】
2017077670.tif 000026
【図７】
2017077670.tif 000027
【図８】
2017077670.tif 000028
【図９】
2017077670.tif 000029
【図１０】
2017077670.tif 000030
【図１１】
2017077670.tif 000031
【図１２】
2017077670.tif 000032
【図１３】
2017077670.tif 000033
【図１４】
2017077670.tif 000034
【図１５】
2017077670.tif 000035
【図１６】
2017077670.tif 000036
【図１７】
2017077670.tif 000037
【図１８】
2017077670.tif 000038
【国際調査報告】
2017077670.tif 000039
2017077670.tif 000040
2017077670.tif 000041
2017077670.tif 000042